(57)【要約】【課題】プロテクタの分割された蓋にロック構造を設けることなくプロテクタ本体の開口を閉鎖する。【解決手段】底壁部と側壁部とからなる樋形状のプロテクタ本体と該プロテクタ本体の上面開口を閉鎖する蓋とを薄肉ヒンジを介して一体成形しており、上記プロテクタ本体内に自動車に配索するワイヤハーネスを挿通した後に上記蓋を閉じるプロテクタにおいて、上記プロテクタ本体はワイヤハーネスの配索方向に対して左右方向に屈曲する屈曲部を備え、上記蓋が上記プロテクタ本体の屈曲部において第１蓋部と第２蓋部とに長さ方向で分割されており、該第１蓋部から第２蓋部側へ舌片部を突出させて、上記第１蓋部と第２蓋部により上記プロテクタ本体の上面開口を閉鎖したときに上記第２蓋部が上記第１蓋部から突出する舌片部を押さえて、上記第１蓋部が浮き上がらない構成としている。【選択図】  図１
2004357415.tif 000002
【特許請求の範囲】
【請求項１】
底壁部と側壁部とからなる樋形状のプロテクタ本体と該プロテクタ本体の上面開口を閉鎖する蓋とを薄肉ヒンジを介して一体成形しており、上記プロテクタ本体内に自動車に配索するワイヤハーネスを挿通した後に上記蓋を閉じるプロテクタにおいて、
上記プロテクタ本体は水平方向に屈曲する屈曲部を備え、上記蓋が上記プロテクタ本体の屈曲部において第１蓋部と第２蓋部とに長さ方向で分割されており、該第１蓋部から第２蓋部側へ舌片部を突出させて、上記第１蓋部と第２蓋部により上記プロテクタ本体の上面開口を閉鎖したときに上記第２蓋部が上記第１蓋部から突出する舌片部を押さえて、上記第１蓋部が浮き上がらない構成としているワイヤハーネス用プロテクタ。
【請求項２】
上記舌片部は上記第１蓋部の内面から上記第２蓋部側に突出して、上記第１蓋部と第２蓋部の閉鎖時に上記舌片部の上面が上記第２蓋部の内面に面接触して、第１蓋部と第２蓋部が同一平面となる請求項１に記載のワイヤハーネス用プロテクタ。
【請求項３】
上記第１蓋部には、上記舌片部を設けている側の端部にはロック部を設けず、他端側にロック部を設けている請求項１または請求項２に記載のワイヤハーネス用プロテクタ。
【発明の詳細な説明】
【０００１】
【発明が属する技術分野】
本発明は、ワイヤハーネス用プロテクタに関し、詳しくは、屈曲しているプロテクタ本体の上面開口を閉鎖する蓋を複数に分割しているプロテクタに関するものである。
【０００２】
【従来の技術】
従来、図５（Ａ）に示すように、自動車に配索するワイヤハーネスを挿通するプロテクタ１は、樋形状のプロテクタ本体２とプロテクタ本体２に薄肉ヒンジを介して一体成形している蓋３とからなる。  プロテクタ本体２が屈曲部２ｂを備えている場合、蓋３は屈曲部２ｂを挟んで分割されている。
上記のように、蓋３を分割している場合、５（Ｂ）に示すように、プロテクタ本体２にワイヤハーネスＷ／Ｈを挿通後、分割した蓋３を個別にプロテクタ本体２の側壁外面に設けたロック枠２ａと蓋３に設けたロック片３ａとをロック結合している（特開平１１−２３４８４４号参照）。
【０００３】
【特許文献１】
特開平１１−２３４８４４号公報
【０００４】
【発明が解決しようとする課題】
上記のように蓋が分割されたプロテクタの場合、複数の蓋３をプロテクタ本体２に係止するため、ロック箇所が多くなり、作業性が悪くなる。
また、分割した各蓋３の両側にロック片３ａを設ける必要があり、対応してプロテクタ本体２側にもロック枠２ａを設けなければならず、プロテクタ本体２および蓋３ともロック部を多数設けなければならず、構造が複雑化する。
さらに、プロテクタ１の設置部の近傍に干渉材があり、プロテクタ１の所要箇所にロック構造を設けることができない場合もある。この場合には、自動車の振動等により蓋３がプロテクタ本体２から外れ、プロテクタ本体２の上面開口が開き、プロテクタ１がワイヤハーネスＷ／Ｈの保護材としての役割を果たさなくなるという問題がある。
【０００５】
本発明は上記問題に鑑みてなされたものであり、プロテクタの蓋が分割されて複数個となっている場合において、該蓋の端部にロックを設けなくてもプロテクタ本体の開口を閉鎖できる構造とすることを課題としている。
【０００６】
【課題を解決するための手段】
上記課題を解決するため、本発明は、底壁部と側壁部とからなる樋形状のプロテクタ本体と該プロテクタ本体の上面開口を閉鎖する蓋とを薄肉ヒンジを介して一体成形しており、上記プロテクタ本体内に自動車に配索するワイヤハーネスを挿通した後に上記蓋を閉じるプロテクタにおいて、
上記プロテクタ本体は水平方向に屈曲する屈曲部を備え、上記蓋が上記プロテクタ本体の屈曲部において第１蓋部と第２蓋部とに長さ方向で分割されており、該第１蓋部から第２蓋部側へ舌片部を突出させて、上記第１蓋部と第２蓋部により上記プロテクタ本体の上面開口を閉鎖したときに上記第２蓋部が上記第１蓋部から突出する舌片部を押さえて、上記第１蓋部が浮き上がらない構成としているワイヤハーネス用プロテクタを提供している。
【０００７】
上記第１蓋部には、上記舌片を設けている端部側にはロック部を設けず、舌片部を設けていない他端側の端部にロック部を設けている。
なお、第１蓋部が短尺で、上記舌片が第２蓋部により確実に閉鎖位置に保持される場合には、第１蓋部にロック部を設けなくてもよい。
【０００８】
上記構成とすると、第１蓋部と第２蓋部によりプロテクタ本体の上面開口を閉鎖したときに、第２蓋部が上記第１蓋部から突出する舌片部をプロテクタ本体側に押さえて、第１蓋部が浮き上がらない構成としているので、第１蓋部の所要箇所にロック構造を設けなくてもプロテクタ本体から外れることがなく、プロテクタ本体の上面開口を閉鎖することができる。
【０００９】
また、上記第１蓋部と第２蓋部とを上記プロテクタ本体の同一の側壁部の上端部に薄肉ヒンジを介して設けて、上記第２蓋部を上記薄肉ヒンジを支点として上記プロテクタ本体側に回動して上記プロテクタ本体の上面開口を閉鎖すると、該第２蓋部が第１蓋部に突設する舌片部に当接し、上記第２蓋部の回動と共に上記第１蓋部も回動され、上記第１蓋部と第２蓋部とで上記プロテクタ本体の上面開口を閉鎖する。これにより、第２蓋部のプロテクタ本体へのロック結合作業と同時に第１蓋部もプロテクタ本体側に回動されてプロテクタ本体の上面開口を閉鎖するので、上記ロック結合作業の作業性を向上することができる。
【００１０】
上記舌片部は上記第１蓋部の内面から上記第２蓋部側に突出して、上記第１蓋部と第２蓋部の閉鎖時に上記舌片部の上面が上記第２蓋部の内面に面接触して、第１蓋部と第２蓋部が同一平面となる。
上記構成とすると、第２蓋部の内面と第１蓋部から突設する舌片の上面が面接触した状態で、上記舌片をプロテクタ本体側に押さえているので、第１蓋部により安定した状態でプロテクタ本体の上面開口を閉鎖することができる。また、第１蓋部と第２蓋部に段差が生じていると、外部の干渉材が段差部に当接するなどして蓋部が開いてしまうおそれがあるが、第１蓋部と第２蓋部が同一平面を形成しているので、蓋部が開いてしまうおそれがない。
【００１１】
【発明の実施の形態】
以下、本発明の実施の形態を図面を参照して説明する。
図１乃至図４は本発明の実施形態を示し、プロテクタ１０はプロテクタ本体１１と該プロテクタ本体１１に薄肉ヒンジ１３を介して一体成形している蓋１２とからなる。
【００１２】
上記プロテクタ本体１１は、底壁部１１ａと側壁部１１ｂ、１１ｃからなる樋形状であり、プロテクタ本体１１の長さ方向の略中央位置で水平方向に屈曲する屈曲部１１ｅを備えている。またプロテクタ本体１１の側壁部１１ｂ、１１ｃの外面にロック枠１１ｄを突設している。
【００１３】
また、プロテクタ本体１１の側壁部１１ｃの上端には、薄肉ヒンジ１３を介してプロテクタ本体１１の上面開口を閉鎖する蓋１２を一体成形している。該蓋１２は、プロテクタ本体１１の屈曲部１１ｅの端部位置で第１蓋部１２Ａと第２蓋部１２Ｂに分割している。第１蓋部１２Ａの内面には、第２蓋部１２Ｂ側に向けて舌片１２ｂを突設すると共に、該第１蓋部１２Ａと第２蓋部１２Ｂには、プロテクタ本体１１に設けたロック枠１１ｄに対向する位置にロック片１２ａを突設し、該ロック片１２ａの先端にプロテクタ本体１１のロック枠１１ｄに係止するロック爪１２ａ−１を設けている。
【００１４】
図２乃至図４は、プロテクタ本体１１と蓋１２とのロック結合過程を示す。
プロテクタ本体１１内にワイヤハーネス（図示せず）を挿通した後、プロテクタ本体１１に薄肉ヒンジ１３を介して一体成形している第２蓋部１２Ｂを上記薄肉ヒンジ１３を支点としてプロテクタ本体１１側に回動させる。その際、第２蓋部１２Ｂが第１蓋部１２Ａの舌片１２ｂに当接し、続けて第２蓋部１２Ｂをプロテクタ本体１１側に回動していくと、第２蓋部１２Ｂと共に第１蓋部１２Ａもプロテクタ本体１１側に回動され、第１蓋部１２Ａ及び第２蓋部１２Ｂのロック爪１２ａ−１がプロテクタ本体１１のロック枠１１ｄに係止されて、プロテクタ本体１１とロック結合される。このとき、図３及び図４に示すように、第２蓋部１２Ｂの内面が第１蓋部１２Ａの舌片１ｂの上面に面接触してプロテクタ本体１１側に押さえ、第１蓋部１２Ａと第２蓋部１２Ｂは同一平面を形成している。
【００１５】
上記構成とすると、第１蓋部１２Ａと第２蓋部１２Ｂによりプロテクタ本体１１の上面開口を閉鎖したときに、第２蓋部１２Ｂが上記第１蓋部１２Ａから突出する舌片部１２ｂをプロテクタ本体１１側に押さえて、第１蓋部１２Ａが浮き上がらないようにしているので、第１蓋部１２Ａの第２蓋部１２Ｂ側端部にロック構造を設けなくてもプロテクタ本体１１から外れることがなく、プロテクタ本体１１の上面開口を閉鎖することができる。
【００１６】
また、第２蓋部１２Ｂのプロテクタ本体１１へのロック結合作業と同時に第１蓋部１２Ａもプロテクタ本体１１側に回動されてプロテクタ本体１１の上面開口を閉鎖するので、上記ロック結合作業の作業性を向上することができる。
【００１７】
なお、プロテクタ本体と蓋部とのロック結合の際、第１蓋部を先にプロテクタ本体にロック結合してから第２蓋部とプロテクタ本体とをロック結合してもよい。
また、舌片を設けた第１蓋部が短尺の場合、ロック構造を設けない構成としてもよい。
さらに、第１蓋部と第２蓋部とはプロテクタ本体のそれぞれ異なる側の側壁部の上端部に突設する構成としてもよい。
【００１８】
【発明の効果】
以上の説明より明らかなように、本発明によれば、分割された第１蓋部と第２蓋部によりプロテクタ本体の上面開口を閉鎖したときに、第２蓋部が第１蓋部から突出する舌片部をプロテクタ本体側に押さえて、第１蓋部が浮き上がらないようにしているので、第１蓋部の第２蓋部側端部にロック構造を設けない、もしくは第１蓋部にロック構造を１つも設けない構成としてもプロテクタ本体から外れることがなく、プロテクタ本体の上面開口を閉鎖することができる。
【００１９】
また、第２蓋部のプロテクタ本体へロック結合する際に、第２蓋部を第１蓋部の舌片に当接し、第１蓋部も同時にプロテクタ本体側に回動させてプロテクタ本体の上面開口を閉鎖することができるので、上記ロック結合作業の作業性を向上することができる。
【図面の簡単な説明】
【図１】本発明のプロテクタを示す斜視図である。
【図２】プロテクタ本体と蓋部とのロック結合過程を示す図面である。
【図３】プロテクタ本体と蓋部とをロック結合した状態を示す図面である。
【図４】プロテクタ本体と蓋部とをロック結合した状態を示す断面図である。
【図５】（Ａ）（Ｂ）は従来例を示す図面である。
【符号の説明】
１０  プロテクタ
１１  プロテクタ本体
１２Ａ  第１蓋部
１２Ｂ  第２蓋部
１２ｂ  舌片部
１３  薄肉ヒンジ
【図１】
2004357415.tif 000003
【図２】
2004357415.tif 000004
【図３】
2004357415.tif 000005
【図４】
2004357415.tif 000006
【図５】
2004357415.tif 000007